(57)【特許請求の範囲】
【請求項１】
ベース上に、平行に並べられた複数のフィンと、同フィンに直交するように蛇行状に配設された伝熱管とからなる室外熱交換器と、同室外熱交換器の前面に、送風ファンと、同送風ファンを駆動するファンモータと、同ファンモータを固定した取付台とを設けてなる空気調和機の室外機において、前記取付台を、脚部と、同脚部の上端両側に連なる一対の支柱部と、同支柱部上部にＵ字状に形成され、複数のネジ孔を穿設したファンモータ固定部と、同ファンモータ固定部の内周側の両側より後方に延出されるとともに、相対向してL字状に折曲され、同折曲部に左右一対の縦長状の取付孔を穿設した上部固定部とで構成する一方、前記上部固定部の取付孔を挿通し、前記室外熱交換器の伝熱管に掛止される二股状に左右に分割形成した爪部を備えた可撓性を有する樹脂材からなる上部固定具を設け、前記取付台の脚部を前記ベース上に固着する一方、前記上部固定具の爪部を前記上部固定部の取付孔を挿通し、前記室外熱交換器の伝熱管に掛止させることにより、前記上部固定部を前記室外熱交換器に固着するようにしたことを特徴とする空気調和機の室外機。
【請求項２】
前記爪部の上下中央部に、後端が極細状に開放された円形状の切欠きによる挟持部を形成し、同挟持部に前記伝熱管を挟み込むようにして、前記爪部を前記伝熱間に掛止させてなることを特徴とする請求項１に記載の空気調和機の室外機。
【請求項３】
前記爪部の上下中央部に、切欠きを設けて、同爪部を上下に分割する一方、上部爪部の上端縁と、下部爪部の下端縁に夫々半円状の切欠きを形成し、上部爪部の切欠きに、上下に並んだ前記伝熱管の上部側を、下部爪部の切欠きに下部側の伝熱管を夫々掛止するようにしたことを特徴とする請求項１に記載の空気調和機の室外機。
【請求項４】
前記上部固定具の前記爪部の前面に、前記ファンモータから導出された配線をクランプするＣ字状のクランプ部を形成してなることを特徴とする請求項１に記載の空気調和機の室外機。
【発明の詳細な説明】
【０００１】
【発明の属する技術分野】
本発明は、空気調和機の室外機に係わり、より詳細には、ファンモータを取付けた取付台の上部を熱交換器の伝熱管に掛止できるようにした構造に関する。
【０００２】
【従来の技術】
従来例による空気調和機の室外機の内部構造は、本発明によるものとほぼ同一なので、内部構造については図２を用いて説明する。空気調和機の室外機は、図２で示すように、ベース１上を仕切板４により左右に区画し、区画された一方に熱交換器室５を、区画された他方に機械室６を夫々設けている。前記熱交換器室５には、室外側熱交換器７と送風ファン１０及び同送風ファン１０を駆動するファンモータ９が夫々設けられ、同ファンモータ９は前記ベース１上に立設された取付台に固定されている。前記機械室６には、冷媒を圧縮し冷房運転時には前記室外側熱交換器７に冷媒を送出する圧縮機１１及び冷媒を貯留するアキュームレータ等が設けられている。また前記ベース１には、図１で示すように、吹出口３を形成し前面と両側面とからなる前面パネルと、上面と背面とからなる外胴２とが夫々着装されるようになっている。
【０００３】
ファンモータを固定する従来の取付台は、例えば図６で示すような構成となっている。図６で示す取付台３０は、脚部と同脚部の上端両側に連なる支柱部と、複数のネジ孔を穿設し同ネジ孔によりファンモータ９を固定する固定部３０ａと、同固定部３０ａから上方に延びるとともに、前方に向け折曲された上部固定部３０ｂとからなり、前記脚部を前記ベース１に螺着される一方、前記上部固定部３０ｂを前記外胴２に固定されていた。
【０００４】
しかしながら、上記した取付台３０は前記上部固定部３０ｂを設けることにより外形寸法が必然的に大きくなり、取付部品としての製作コスト及び製作工数の増大を招くとともに、前記上部固定部３０ｂが前記室外側熱交換器７から前記吹出口３に向かう空気の流路抵抗となって、前記室外側熱交換器７での熱交換効率に影響を与える恐れがあった。
【０００５】
【発明が解決しようとする課題】
本発明は上記問題点に鑑み、取付台の製作コスト及び製作工数の低減をはかるとともに、取付台による流路抵抗を低減した空気調和機の室外機を提供することを目的とする。
【０００６】
本発明は上記課題を解決するために、ベース上に、平行に並べられた複数のフィンと、同フィンに直交するように蛇行状に配設された伝熱管とからなる室外熱交換器と、同室外熱交換器の前面に、送風ファンと、同送風ファンを駆動するファンモータと、同ファンモータを固定した取付台とを設けてなる空気調和機の室外機において、前記取付台を、脚部と、同脚部の上端両側に連なる一対の支柱部と、同支柱部上部にＵ字状に形成され、複数のネジ孔を穿設したファンモータ固定部と、同ファンモータ固定部の内周側の両側より後方に延出されるとともに、相対向してL字状に折曲され、同折曲部に左右一対の縦長状の取付孔を穿設した上部固定部とで構成する一方、前記上部固定部の取付孔を挿通し、前記室外熱交換器の伝熱管に掛止される二股状に左右に分割形成した爪部を備えた可撓性を有する樹脂材からなる上部固定具を設け、前記取付台の脚部を前記ベース上に固着する一方、前記上部固定具の爪部を前記上部固定部の取付孔を挿通し、前記室外熱交換器の伝熱管に掛止させることにより、前記上部固定部を前記室外熱交換器に固着するようにした構成となっている。
【０００９】
また、前記爪部の上下中央部に、後端が極細状に開放された円形状の切欠きによる挟持部を形成し、同挟持部に前記伝熱管を挟み込むようにして前記爪部を前記伝熱管に掛止させる構成となっている。
【００１０】
また、前記爪部の上下中央部に、切欠きを設け前記爪部を上下に分割する一方、上部爪部の上端縁と、下部爪部の下端縁に夫々半円状の切欠きを形成し、前記上部爪部の切欠きに、上下に並んだ前記伝熱管の上部側を、前記下部爪部の切欠きに下部側の伝熱管を夫々掛止するようにした構成となっている。
【００１１】
更に、前記上部固定具の前記爪部の前面に、前記ファンモータから導出された配線をクランプするＣ字状のクランプ部を形成した構成となっている。
【００１２】
【発明の実施の形態】
以下、本発明の実施の形態を、添付図面に基づいた実施例として詳細に説明する。
図１は本発明による空気調和機の室外機の外観斜視図であり、図２はその内部構造を示す斜視図である。図３は取付台の構成を示す斜視図であり、図４及び図５は同取付台の上部の固定を示す断面図である。
本発明による空気調和機の室外機は従来例でも説明したと同様に、図１で示すように、ベース１に吹出口３を形成した前面パネルと外胴２とを着装するとともに、前記ベース１上を仕切板４により左右に区画し、区画された一方に熱交換器室５を、区画された他方に機械室６を夫々設けている。図２で示すように、前記熱交換器室５の後部には、平行して並べられた多数のフィン７ｂと、同フィン７ｂに直交するように蛇行状に配設され両端部をＵ字管により夫々接合した伝熱管７ａとからなり、コ字状に形成された室外側熱交換器７が設けられ、同室外側熱交換器７の前面には、ファンモータ９を固定した取付台８と、前記ファンモータ９により駆動され前記室外側熱交換器７で熱交換された空気を前記吹出口３から外部に排出する送風ファン１０とが設けられている。前記機械室６には冷媒を圧縮する圧縮機１１と、同圧縮機１１に還流する冷媒を一時的に貯留するアキュームレータが設けられ、その上方には図示してはいないが制御基板等を内蔵した電装品箱が設けられるようになっている。
【００１３】
前記取付台８は、図３で示すように、前記ベース１上に固着される平板状の脚部８ａと、同脚部８ａの上端両側に連なる一対の支柱部８ｂと、同支柱部８ｂの上部にＵ字状に形成され複数のネジ孔を穿設したファンモータ固定部８ｃと、同ファンモータ固定部８ｃの内周側の上部両側に、後方に延出して形成されＬ字状に相対向して折曲された上部固定部８ｄとからなり、同上部固定部８ｄには、後述する上部固定具を取付けるための縦長状の取付孔８ｅが左右一対となって夫々穿設されている。ファンモータ９は駆動軸９ａに送風ファン１０を固定し、前記ファンモータ固定部８ｃに螺着されるようになっている。また前記ファンモータ９から導出された配線９ｂは前記電装品箱に接続されるようになっている。
【００１４】
前記取付台８の前記上部固定部８ｄに取付けられる上部固定具１２は可撓性を有する樹脂材からなり、図３で示すように、一側に、二股状に左右に分割された爪部１２ａを突出して設ける一方、他側に、上端が開放された切欠きにより略Ｃ字状のクランプ部１２ｃを形成している。前記爪部１２ａは夫々前記上部固定部８ｄに穿設された前記取付孔８ｅに対応して夫々形成され、また中央部に、後端が極細状に開放された円形状の切欠きによる、前記室外側熱交換器７の伝熱管７ａの径に対応した挟持部１２ｂを形成している。
【００１５】
次に、上記した取付台８の取付手順について説明する。まず前記ファンモータ固定部８ｃに前記送風ファン１０を固定した前記ファンモータ９を螺着する。次に前記脚部８ａを前記ベース１上に固着し、この状態で前記上部固定具１２の爪部１２ａを前記上部固定部８ｄの取付孔８ｅに前面から夫々挿通させ、続いて図４で示すように、前記爪部１２ａを、前記挟持部１２ｂを上下に拡開するように撓ませ、前記室外側熱交換器７の伝熱管７ａに前記挟持部１２ｂを上下から挟持するように食い込ませる。これにより前記取付台８の上部固定部８ｄは前記室外側熱交換器７に固定されるようになっている。また、前記ファンモータ９から導出された配管９ｂは、前記クランプ部１２ｃにクランプできるようになっている。
【００１６】
上記した取付台８は、従来例で示したような、上方に延びる上部固定部を要しないため、外形寸法を小さくでき、製作コスト及び製作工数の低減ができるとともに、前記室外側熱交換器７から前記吹出口３に向かう空気の流路抵抗を低減できるようになっている。
【００１７】
次に、他の実施例について説明する。図５で示す実施例は、上部固定具１３の爪部１３ａを上下に分割する一方、上部爪部１３ａの上端縁と、下部爪部１３ａの下端縁に夫々半円状の切欠きを形成し、前記上部爪部の切欠きに、上下に並んだ前記伝熱管７ａの上部側を、前記下部爪部の切欠きに下部側の伝熱管７ａを夫々掛止するようにして，前記取付台８の固定をより堅固となるようにしている。
【００１８】
【発明の効果】
以上説明したように、本発明によると、取付台のファンモータ固定部の内周側に、後方に延出された上部固定部を形成し、同上部固定部に樹脂材からなる上部固定具を取付け、更に同上部固定具を室外側熱交換器の伝熱管に固定することにより、取付台の外形寸法を小さくし、その製作コスト及び製作工数の低減ができるとともに、前記室外側熱交換器から吹出口に向かう空気の流路抵抗を低減した空気調和機の室外機とすることができる。
【図面の簡単な説明】
【図１】本発明による空気調和機の室外機を示す外観斜視図である。
【図２】本発明による室外機の内部構造を示す斜視図である。
【図３】取付台及び上部固定具を示す斜視図である。
【図４】上部固定具が取付けられた状態を示す断面図である。
【図５】他の実施例による上部固定具が取付けられた状態を示す断面図である。
【図６】従来例による取付台を示す斜視図である。
【符号の説明】
１  ベース
２  外胴
３  吹出口
４  仕切板
５  熱交換器室
６  機械室
７  室外側熱交換器
７ａ  伝熱管
７ｂ  フィン
８  取付台
８ａ  脚部
８ｂ  支柱部
８ｃ  ファンモータ取付部
８ｄ  上部固定部
８ｅ  取付孔
９  ファンモータ
９ａ  駆動軸
９ｂ  配線
１０  送風ファン
１１  圧縮機
１２  上部固定具
１２ａ  爪部
１２ｂ  挟持部
１２ｃ  クランプ部
１３  上部固定具
１３ａ  爪部
１３ｂ  クランプ部
【図１】
0004029619.tif 000002
【図２】
0004029619.tif 000003
【図３】
0004029619.tif 000004
【図４】
0004029619.tif 000005
【図５】
0004029619.tif 000006
【図６】
0004029619.tif 000007